(57)【要約】【課題】簡単な構造で装飾効果を向上させるとともに、乗員に斬新感を与えることができる計器装置を提供する。【解決手段】指針と表示部とを協働して移動体の状況を表示する計器装置において、計器ケースと、表示部としての目盛・文字９ａが設けられた文字板６ａと、文字板６ａの前面側に設けられ且つ目盛・文字９ａを移動体の乗員側に露出する露出窓１０ａが設けられた見返し板１０とを備えており、見返し板１０の露出窓１０ａの開口縁部２５が、文字板６ａの目盛・文字９ａの外周部１９に設けられた所定色の文字板着色層６５を覆い且つ文字板６ａに直交する方向に所定の間隔をあけて設けられていることを特徴とする。【選択図】図３
2008164392.tif 000002
【特許請求の範囲】
【請求項１】
計器ケースと、前記計器ケースに取り付けられ且つ移動体の状況を示す表示部を有する文字板と、前記文字板の前記移動体の乗員側に設けられ且つ前記表示部を前記移動体の乗員側に露出する露出窓が設けられた見返し板と、を備えた計器装置において、
前記露出窓の開口縁部が、前記表示部の外周部を覆い且つ前記文字板に直交する方向に所定の間隔をあけて設けられるとともに、
前記表示部の外周部に所定色の文字板着色層が露出窓外部から露出窓内部に連続して設けられ且つ内側から外側に向かうに従って徐々に密度が変化する網点状に形成されていることを特徴とする計器装置。
【請求項２】
前記表示部と前記文字板着色層とが、前記計器ケース内に収容された光源からの光によって光輝する構成となっていることを特徴とする請求項１に記載の計器装置。
【請求項３】
前記見返し板の前記露出窓の前記開口縁部の前記移動体の乗員側に取り付けられるリング部材を備えたことを特徴とする請求項１又は請求項２に記載の計器装置。
【発明の詳細な説明】
【技術分野】
【０００１】
本発明は、車両、船舶等の移動体に搭載される計器装置に関し、特に、文字板の外周縁を覆うリング部材を備えた計器装置に関する。
【背景技術】
【０００２】
車両、船舶などの移動体には、各種の計測手段が計測した複数の情報を移動体の乗員に対して表示する計器装置が搭載されている（例えば、特許文献１参照）。
【０００３】
この種の計器装置として、例えば、移動体としての車両の速度を表示する表示計器としてのスピードメータと、エンジンの回転数を表示する表示計器としてのタコメータと、燃料の残量を表示する表示計器としてのフューエルゲージと、エンジンの冷却水の温度を表示する表示計器としてのテンパラチャゲージなどを備えた車両用コンビネーションメータが用いられる。
【０００４】
前述した車両用コンビネーションメータは、前述した各メータ及びゲージの計器ユニットとしてのムーブメントを収容する計器ケースと、前記計器ケースの前面側（乗員側）に配される文字板と、指針と、文字板の前面側に配される見返し板と、文字板の裏面側に配される導光板と、文字板及び指針の裏面側に配され且つ導光板に光を供給する光源などを備えている。そして、ムーブメントは、それぞれ、計測量に応じて回転する出力軸を備えている。
【０００５】
前記文字板は、例えば、スピードメータ用文字板と、タコメータ用文字板と、フューエルゲージ用文字板と、テンパラチャゲージ用文字板と、を備えている。これらの各文字板は、互いに別体に形成されるとともに、それぞれ、車速表示用目盛、エンジン回転数表示用目盛、燃料残量表示用目盛、冷却水温度表示用目盛などが記されている。
【０００６】
また、前記文字板には、前記各目盛が記される外周部分に出力軸を中心に外側に向かうに従って徐々に乗員側から離れる方向或いは乗員側に近づく方向に傾斜した傾斜部が設けられており、この傾斜部には、中心から外側に向かうのに従って徐々に色が濃くなるようなグラデーション模様の着色層が設けられている。そして、この着色層上に目盛が重ねて印刷されている。
【０００７】
前記各文字板の車速表示用目盛等の各目盛は、乗員側から例えば夜間等の暗い時でも視認できるように、前記光源から照射される光を前記文字板に導く導光板によって、前記文字板等が照らされている。この際、計器ケース内において文字板の裏側部分にあたる部分には、光が透過するように開口部が設けられている。
【０００８】
前記光源は、前記計器ケース内に取り付けられたプリント配線板等と電気的に接続されており、点灯状況が制御される。この種の光源は、例えば、前記計器ケース内に設けられて、前記指針の先端方向に向かって光を出射するように配されたり、前記文字板の背面側から該文字板を照射するように配されたり、見返し板の背面側から導光板を介して前記文字板の表面側を照射するように配されている。
【０００９】
前述した構成の計器装置は、光源から出射された光が導光板を介して傾斜部の前面側に照射されて、目盛が記された傾斜部がリング状に発光する。この際に、傾斜部に設けられたグラデーション模様の着色層が、導光板からの光によって内側から外側に向かうに従って徐々に色が濃くなるように照らし出されて、リング状のグラデーションを帯びて視認される。このことによって、文字板に立体感を与えて、表示に立体感を持たせることで視認性及び装飾性の向上を図っていた。
【特許文献１】特開２００２−２９６０７８号公報
【発明の開示】
【発明が解決しようとする課題】
【００１０】
しかしながら、前述した構成の計器装置では、一定の新規性しか得られず、乗員に斬新感を与える表示は十分には得られなかった。また、文字板に傾斜部を設けるなど、装飾効果を得るための構造が複雑化する傾向であった。
【００１１】
従って、本発明の目的は、簡単な構造で装飾効果を向上させるとともに、乗員に斬新感を与えることができる計器装置を提供することにある。
【課題を解決するための手段】
【００１２】
前記課題を解決し目的を達成するために、請求項１に記載された発明は、計器ケースと、前記計器ケースに取り付けられ且つ移動体の状況を示す表示部を有する文字板と、前記文字板の前記移動体の乗員側に設けられ且つ前記表示部を前記移動体の乗員側に露出する露出窓が設けられた見返し板と、を備えた計器装置において、前記露出窓の開口縁部が、前記表示部の外周部を覆い且つ前記文字板に直交する方向に所定の間隔をあけて設けられるとともに、前記表示部の外周部に所定色の文字板着色層が露出窓外部から露出窓内部に連続して設けられ且つ内側から外側に向かうに従って徐々に密度が変化する網点状に形成されていることを特徴とする。
【００１３】
請求項２に記載された発明は、請求項１に記載の発明において、前記表示部と前記文字板着色層とが、前記計器ケース内に収容された光源からの光によって光輝する構成となっていることを特徴とする。
【００１４】
請求項３に記載された発明は、請求項１又は請求項２に記載の発明において、前記見返し板の前記露出窓の前記開口縁部の前記移動体の乗員側に取り付けられるリング部材を備えたことを特徴とする。
【００１５】
請求項１に記載された発明によれば、見返し板に設けられた露出窓の開口縁部が、文字板の表示部の外周部を該文字板に直交する方向に所定の間隔をあけて覆うように設けられて、表示部の外周部に露出窓外部から露出窓内部に連続し且つ内側から外側に向かうに従って徐々に密度が変化する網点状に形成された所定色の文字板着色層が設けられているので、文字板の表示部に奥行きを持たせることができるとともに、グラデーションを帯びて視認させ且つ文字板の表示部を見る角度によって文字板着色層の幅が変化するように視認させることができる。このため、文字板の表示部の奥行きを強調して装飾効果を向上させるとともに、新規性のある装飾効果を得ることができる。また、見返し板の露出窓の開口縁部と文字板の表示部の外周部とを間隔をあけて配して該表示部の外周部に文字板着色層を設けるだけで良く、簡単な構造で装飾効果を得ることができる。
【００１６】
請求項２に記載された発明によれば、表示部と文字板着色層とが光源からの光によって光輝する構成となっているので、光源から照射された光が文字板着色層を介して乗員側に出射されることによって、文字板の外縁部が所定色に光輝するように移動体の乗員に視認させることができる。
【００１７】
請求項３に記載された発明によれば、見返し板に設けられた露出窓の開口縁部の乗員側に取り付けられたリング部材を備えているので、文字板の表示部の奥行きをさらに強調することができ、文字板の表示部の装飾効果を向上させることができる。
【発明の効果】
【００１８】
以上説明したように、請求項１に記載された発明によれば、文字板の表示部に奥行きを持たせることができるとともに、グラデーションを帯びて視認させ且つ文字板の表示部を見る角度によって文字板着色層の幅が変化するように視認させることができるので、文字板の表示部の奥行きを強調して装飾効果を向上させるとともに、新規性のある装飾効果を得ることができる。また、見返し板の露出窓の開口縁部と文字板の表示部の外周部とを間隔をあけて配して該表示部の外周部に文字板着色層を設けるだけで良く、簡単な構造で装飾効果を得ることができる。よって、簡単な構造で装飾効果を向上させるとともに、移動体の乗員に斬新感を与えることができる。
【００１９】
請求項２に記載された発明によれば、光源から照射された光が文字板着色層を介して乗員側に出射されることによって、文字板の外縁部が所定色に光輝するように移動体の乗員に視認させることができるので、文字板の表示部の装飾効果を向上させることができる。よって、移動体の乗員に斬新感を与えることができる。
【００２０】
請求項３に記載された発明によれば、文字板の表示部の奥行きをさらに強調することができ、文字板の表示部の装飾効果を向上させることができる。よって、移動体の乗員に斬新感を与えることができる。
【発明を実施するための最良の形態】
【００２１】
以下、本発明の一実施形態にかかる計器装置の指針を図１乃至図６を参照して説明する。本発明の一実施形態にかかる計器装置の照明構造は、図６に示す計器装置としての車両用コンビネーションメータ１に用いられる。
【００２２】
車両用コンビネーションメータ１は、自動車等の移動体に搭載されて、この移動体の乗員に対して該移動体の状況を表示する装置である。車両用コンビネーションメータ１は、図６に示すように、計器ケースとしてのケース３１と、表示計器４と、見返し板１０と、透明カバー１１と、裏カバー３５とを備えている。
【００２３】
ケース３１は、合成樹脂等によって移動体の乗員側に開口部３ａを有する箱状に形成されている。ケース３１には、表示計器４の後述する各文字板６ａ，６ｂ，６ｃ，６ｄそれぞれに対応する取付面３１ａ，３１ｂ，３１ｃ，３１ｄが形成されている。これらの取付面３１ａ，３１ｂ，３１ｃ，３１ｄは、各文字板６ａ，６ｂ，６ｃ，６ｄの輪郭と相似形状に形成されている。そして、ケース３１は、各取付面３１ａ，３１ｂ，３１ｃ，３１ｄそれぞれに、各文字板６ａ，６ｂ，６ｃ，６ｄを取り付ける。また、ケース３１は、移動体の乗員側と相対する開口部３ａを有する箱状に形成されている。
【００２４】
上記取付面３１ａ，３１ｂ，３１ｃ，３１ｄには、図６に示すように、後述する各指針２ａ，２ｂ，２ｃ，２ｄの基端部２１（図１に示す）が挿入されて取り付けられる指針用開口部３２ａ，３２ｂ，３２ｃ，３２ｄと複数の照明用開口部３３ａ，３３ｂ，３３ｃ，３３ｄがそれぞれ形成されている。複数の照明用開口部３３ａ，３３ｂ，３３ｃ，３３ｄは、後述する各文字板６ａ，６ｂ，６ｃ，６ｄの表示部としての目盛・文字９ａ，９ｂ，９ｃ，９ｄそれぞれを照明する文字板照明用ＬＥＤ１６が配される。
【００２５】
裏カバー３５は、ケース３１側に開口したケース状に形成されている。そして、裏カバー３５の外縁にケース３１が組み付けられる。
【００２６】
ケース３１内には、図２又は図６に示すように、後述する計器ユニットとしてのムーブメント７ａ，７ｂ，７ｃ，７ｄや、各文字板６ａ，６ｂ，６ｃ，６ｄ用の光源としての文字板照明用ＬＥＤ１６や、各指針２ａ，２ｂ，２ｃ，２ｄ用の光源としての指針照明用ＬＥＤ１２等が収容される。ケース３１内には、さらに、ムーブメント７ａ，７ｂ，７ｃ，７ｄ、文字板照明用ＬＥＤ１６、指針照明用ＬＥＤ１２等と電気的に接続するプリント基板１３が収容される。プリント基板１３は、ケース３１と裏カバー３５との間に設けられて、ムーブメント７ａ，７ｂ，７ｃ，７ｄ等の動作を制御するためのマイコン等の電子部品等が実装されている。
【００２７】
表示計器４は、図６に示すように、車両の速度を表示するスピードメータ４ａと、エンジンの回転数を表示するタコメータ４ｂと、燃料の残量を表示するフューエルゲージ４ｃと、エンジンの冷却水の温度を表示するテンパラチャゲージ４ｄと、を備えている。
【００２８】
スピードメータ４ａ，タコメータ４ｂ，フューエルゲージ４ｃ及びテンパラチャゲージ４ｄには、それぞれ、計器ユニットとしてのムーブメント７ａ，７ｂ，７ｃ，７ｄと、指針２ａ，２ｂ，２ｃ，２ｄと、計器装置の文字板としての車速表示用文字板６ａ，エンジン回転数表示用文字板６ｂ，燃料残量表示用文字板６ｃ，冷却水温度表示用文字板６ｄと、文字板用導光板５ａ，５ｂ，５ｃ，５ｄ等によって構成されている。
【００２９】
ムーブメント７ａ，７ｂ，７ｃ，７ｄは、それぞれ、車両に搭載された図示しない車速計測手段、エンジン回転数計測手段、燃料残量計測手段及び冷却水温度計測手段等と接続されている。ムーブメント７ａ，７ｂ，７ｃ，７ｄは、それぞれ、これらの計測手段が計測した計測量等に応じて回転する出力軸８ａ，８ｂ，８ｃ，８ｄを備えている。
【００３０】
指針２ａ，２ｂ，２ｃ，２ｄは、アクリル樹脂等の透光性を有する導光材料等から形成されている。なお、指針２ａ，２ｂ，２ｃ，２ｄは、互いに同等の構成であるので、以下スピードメータ４ａ用の指針２ａを代表して説明する。
【００３１】
指針２ａは、図２に示すように、基端部２１と、基端部２１から該基端部２１の外周方向に向かって延びた指示部２２と、を備えている。基端部２１は、円盤状に形成されるとともに光源としての指針照明用ＬＥＤ１２からの光が入射する受光部２１ａを備えている。受光部２１ａは、指針照明用ＬＥＤ１２からの光を指示部２２の先端に向かって反射する。指示部２２は、基端部２１から離れるのに従って徐々に細くなる錐状に形成されている。
【００３２】
指針２ａは、基端部２１がムーブメント７ａの出力軸８ａに取り付けられており、図２に示すように、車速表示用文字板６ａの中央部に基端部２１が位置した状態で取り付けられる。そして、指針２ａは、ムーブメント７ａの出力軸８ａと一体となって回転する。指針２ａは、各計測手段が計測した計測量に応じて、ムーブメント７ａによって回動されて、車速表示用文字板６ａに付された後述する目盛・文字９ａ等と協働して計測量を表示する。また、指針２ａは、例えば夜間等の暗い時等において、基端部２１の受光部２１ａに前述した指針照明用ＬＥＤ１２からの光が入射されて、指示部２２が光輝する。
【００３３】
計器装置の文字板としての車速表示用文字板６ａ，エンジン回転数表示用文字板６ｂ，燃料残量表示用文字板６ｃ，冷却水温度表示用文字板６ｄは、それぞれ、前述したケース３１の取付面３１ａ，３１ｂ，３１ｃ，３１ｄの移動体の乗員側に取り付けられる。これらの文字板６ａ，６ｂ，６ｃ，６ｄの詳細な構成については後述する。
【００３４】
文字板用導光板５ａ，５ｂ，５ｃ，５ｄは、各文字板６ａ，６ｂ，６ｃ，６ｄの輪郭と相似形状に形成されるとともに、各文字板６ａ，６ｂ，６ｃ，６ｄそれぞれの背面側に配されている。各導光板５ａ，５ｂ，５ｃ，５ｄは、それぞれ、後述する文字板照明用ＬＥＤ１６からの光を各文字板６ａ，６ｂ，６ｃ，６ｄの後述する表示部としての目盛・文字９ａ，９ｂ，９ｃ，９ｄに導いて、これら目盛・文字９ａ，９ｂ，９ｃ，９ｄを光輝させる。
【００３５】
前述した構成によって、表示計器４としてのスピードメータ４ａ，タコメータ４ｂ，フューエルゲージ４ｃ及びテンパラチャゲージ４ｄは、それぞれ、前述した計測手段が計測した計測量に応じて出力軸８ａ，８ｂ，８ｃ，８ｄ及び指針２ａ，２ｂ，２ｃ，２ｄを回転させる。そして、指針２ａ，２ｂ，２ｃ，２ｄが、それぞれ、各文字板６ａ，６ｂ，６ｃ，６ｄそれぞれの目盛・文字９ａ，９ｂ，９ｃ，９ｄを指示することによって、移動体の乗員に対して該移動体の状況を表示する。
【００３６】
見返し板１０は、図６に示すように、各文字板６ａ，６ｂ，６ｃ，６ｄの移動体の乗員側、即ち前面側に配され、ケース３１に取り付けられる。見返し板１０には、各文字板６ａ，６ｂ，６ｃ，６ｄをそれぞれ移動体の乗員に対して露出させる露出窓としてのスピードメータ露出窓１０ａと、タコメータ露出窓１０ｂと、フューエルゲージ露出窓（図示せず）と、テンパラチャゲージ露出窓１０ｄとが形成されており、表示計器４としてのスピードメータ４ａ，タコメータ４ｂ，フューエルゲージ４ｃ及びテンパラチャゲージ４ｄ等の表示部分以外を移動体の乗員に対して遮蔽する。これらの露出窓１０ａ，１０ｂ，１０ｃ，１０ｄの詳細な構成については後述する。
【００３７】
透明カバー１１は、板状に形成され且つ透明性を有する樹脂等から形成されている。透明カバー１１は、見返し板１０の移動体の乗員側、即ち前面側に配されている。透明カバー１１は、その外縁からケース３１に向かって突設された係止爪（図示せず）が設けられている。係止爪は、ケース３１の係止受け溝内に収容されて係止される。
【００３８】
透明カバー１１は、前述のように、係止爪がケース３１の係止受け溝に係止された際にケース３１の移動体の乗員側、即ち前面側を覆う。透明カバー１１は、各文字板６ａ，６ｂ，６ｃ，６ｄと、後述する各リング部材４０ａ，４０ｂ，４０ｃ，４０ｄと、見返し板１０と、を覆って車両用コンビネーションメータ１内へ埃等が侵入するのを防ぐ。
【００３９】
前述した文字板６ａ，６ｂ，６ｃ，６ｄは、互いに略同等の構造をなしているため、以下、スピードメータ用の車速表示用文字板６ａ（以下、単に文字板６ａと呼ぶ）を代表して説明する。
【００４０】
文字板６ａは、図６に示すように、平面形状が略円形に形成されており、その外周に沿って表示部としての車速を表示する車速表示用の目盛・文字９ａが形成されている。文字板６ａは、指針２ａの基端部２１用の開口部が設けられている。
【００４１】
文字板６ａは、図４に示すように、透光基板６１と、透光基板６１の移動体の乗員側、即ち正面側に設けられた意匠印刷層６２と、該意匠印刷層６２の正面側に設けられた遮光層６３とを有している。
【００４２】
意匠印刷層６２は、文字板照明用ＬＥＤ１６から導光板５ａを介して出射された光を透過して車速表示用の目盛・文字９ａを所定色（例えば白色）に移動体の乗員に視認させる。
【００４３】
遮光層６３は、目盛・文字９ａと後述する文字板着色層６５が形成された外周部１９を除いて設けられている。そして、意匠印刷層６２及び遮光層６３が設けられた透光基板６１の前面側には、表面に傷等が付くことを防止するためのトップコート層６０が設けられている。
【００４４】
さらに、透光基板６１の背面側に拡散層６４の外周に沿って、文字板着色層６５が設けられている。文字板着色層６５は、平面形状がドーナツ状に形成されており、見返し板１０に設けられた露出窓１０ａよりも内側に文字板６ａの径方向に外側に向かって延在して設けられている。文字板着色層６５は、目盛・文字９ａの外周部１９を縁取るように形成されて、所定色として青色に着色されて設けられている。また、文字板着色層６５は、内側から外側に向かうに従って徐々に密度が変化する網点状に形成されている。本実施例では、内側から外側に向かうに従って徐々に密度が粗くなる網点状に形成されている。
【００４５】
また、文字板着色層６５は、透光性の材料で形成されており、文字板照明用ＬＥＤ１６から導光板５ａを介して出射された光が透過して、移動体の乗員に青色（所定色）に光輝して視認される。
【００４６】
前述した露出窓１０ａ，１０ｂ，１０ｃ，１０ｄは、互いに同等の構成であるので、以下スピードメータ露出窓１０ａを代表して説明する。スピードメータ露出窓１０ａは、図２又は図３に示すように、開口縁部２５が文字板６ａの表示部としての目盛・文字９ａの外周部１９を覆うように設けられている。即ち、開口縁部２５が文字板６ａの目盛・文字９ａの外周部１９に設けられた文字板着色層６５の一部を覆うように設けられている。
【００４７】
また、開口縁部２５には、文字板６ａに向かって突出する平板部２６が設けられており、この平板部２６の文字板６ａ側の端部２７が該文字板６ａと所定の間隔をあけて設けられている。即ち、平板部２６の端部２７は、文字板６ａの目盛・文字９ａの外周部１９に設けられた文字板着色層６５と該文字板６ａに直交する方向に所定の間隔をあけて設けられている。このため、文字板６ａと開口縁部２５の平板部２６の端部２７との間から露出窓１０ａに覆われた部分の文字板着色層６５も移動体の乗員に視認される。
【００４８】
さらに、開口縁部２５には、図２又は図３に示すように、移動体の乗員側、即ち前面側に該開口縁部２５を覆うようにリング部材４０ａが設けられている。リング部材４０ａは、平面形状がリング状に形成されており、開口縁部２５の前面側に取り付けられて露出窓１０ａの開口縁部２５の前面側を覆う。そして、リング部材４０ａは、図６に示すように、見返し板１０の移動体の乗員側、即ち、見返し板１０の前面側に設けられている。
【００４９】
本実施形態によれば、見返し板１０に設けられた露出窓１０ａの開口縁部２５が、文字板６ａの表示部としての目盛・文字９ａの外周部１９に青色（所定色）の内側から外側に向かうに従って徐々に密度が粗くなる網点状に形成された文字板着色層６５の一部を覆うように設けられて、そして、開口縁部２５の平板部２６の端部２７が文字板着色層６５と文字板６ａに直交する方向に所定の間隔をあけて設けられている。
【００５０】
このため、見返し板１０の露出窓１０ａの開口縁部２５と文字板６ａの表示部としての目盛・文字９ａとの奥行きを強調することができ、さらに、青色（所定色）が連続して徐々に変化するように見せることができるとともに、文字板６ａと開口縁部２５の平板部２６の端部２７との間から露出窓１０ａに覆われた文字板着色層６５を移動体の乗員に視認させることができる。そして、図５に示すように、文字板の表示部に奥行きを持たせることができるとともに、グラデーションを帯びて視認させ且つ移動体の乗員がスピードメータ４ａを見る角度によって文字板着色層６５の幅が変化するように視認させることができる。
【００５１】
また、文字板着色層６５が透光性の材料で形成され且つ遮光層６３の設けられていない文字板６ａの目盛・文字９ａの外周部１９に設けられて、文字板照明用ＬＥＤ１６から導光板５ａを介して出射された光が透過して、青色（所定色）に光輝するので、文字板６ａの表示部としての目盛・文字９ａの外周部１９が青色（所定色）に光輝して移動体の乗員に視認させることができる。
【００５２】
さらに、見返し板１０の露出窓１０ａの開口縁部２５の乗員側に該開口縁部２５を覆うように取り付けられたリング部材４０ａを備えているので、移動体の乗員が視認した際に、文字板６ａの目盛・文字９ａの奥行きをさらに強調することができる。
【００５３】
また、前述した実施形態では、文字板着色層６５が所定色として青色で形成されているが、本発明はこれに限定するものではなく、例えば、赤色、黄色等の種々の色で形成されていても良い。
【００５４】
上述した実施形態では、スピードメータ４ａについて主に説明したが、本発明では、タコメータ４ｂ，フューエルゲージ４ｃ，テンパラチャゲージ４ｄについても同様の構成とすることはもちろんである。
【００５５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５６】
【図１】本発明の一実施形態にかかる計器装置の表示計器としてのスピードメータを示す斜視図である。
【図２】図１中のＩ−Ｉ線に沿う断面図である。
【図３】図２に示されたスピードメータの部分拡大図である。
【図４】図３の要部拡大図である。
【図５】（ａ）は、本発明の一実施形態にかかる計器装置の表示計器としてのスピードメータを正面から見た時の説明図であり、（ｂ）は、スピードメータを斜めから見た時の説明図である。
【図６】本発明の一実施形態にかかる計器装置としての車両用コンビネーションメータを分解して示す斜視図である。
【符号の説明】
【００５７】
１  車両用コンビネーションメータ（計器装置）
６ａ  車速表示用文字板（文字板）
６ｂ  エンジン回転数表示用文字板（文字板）
６ｃ  燃料残量表示用文字板（文字板）
６ｄ  冷却水温度表示用文字板（文字板）
７ａ，７ｂ，７ｃ，７ｄ  ムーブメント（計器ユニット）
９ａ，９ｂ，９ｃ，９ｄ  目盛・文字（表示部）
１０  見返し板
１０ａ  スピードメータ露出窓（露出窓）
１０ｂ  タコメータ露出窓（露出窓）
１０ｃ  フューエルゲージ露出窓（露出窓）
１０ｄ  テンパラチャゲージ露出窓（露出窓）
１２  指針照明用ＬＥＤ（光源）
１６  文字板照明用ＬＥＤ（光源）
１９  外周部
２５  開口縁部
３１  ケース（計器ケース）
４０ａ，４０ｂ，４０ｃ，４０ｄ  リング部材
６５  文字板着色層
【図１】
2008164392.tif 000003
【図２】
2008164392.tif 000004
【図３】
2008164392.tif 000005
【図４】
2008164392.tif 000006
【図５】
2008164392.tif 000007
【図６】
2008164392.tif 000008